(57)【要約】【技術課題】スパウト付自立袋において、内容物を注出するときに、スパウト部分が内容物の重量で下に折れ曲り、内容物をスムーズに注出できなくなる欠点を解消する。【解決手段】底部１５に逆Ｖ字型状の折り込み１６を入れることにより、内容物を充填した際に底側が舟型に開放するように構成して自立性を付与した袋において、この開口部１０ａ内に、直角方向において長さの異なるスパウトシール部１８を持つスパウト１４を、そのスパウトシール部１８の長手方向が開口部１０ａの長手方向に対して直角方向となるように装着して表面１２と裏面１３に膨大部１９を形成する。【選択図】        図１
2004256126.tif 000002
【特許請求の範囲】
【請求項１】
底部に逆Ｖ字型状の折り込みを入れることにより、内容物を充填した際に底側が舟型に開放するように構成して自立性を付与した袋において、直交する方向において長さの異なるスパウトシール部を持つスパウトを、袋の開口部の長手方向に対して前記スパウトシール部の長手方向が大きい側が直角方向となるように装着したことを特徴とするスパウト付き自立袋。
【請求項２】
スパウトシール部は、スパウト本体の注出口側からみて舟形又は菱形又は十文字形を呈していることを特徴とする請求項１に記載のスパウト付き自立袋。
【請求項３】
スパウトを装着シールした袋本体において、装着シールの両側に、ハの字状のコーナーシールを行ったことを特徴とする請求項１又は２に記載のスパウト付き自立袋。
【請求項４】
ハの字状のコーナーシールの外側を切除してなる請求項３に記載のスパウト付き自立袋。
【発明の詳細な説明】
【０００１】
【発明の属する技術分野】
本発明は、底部に逆Ｖ字型状の折り込みを入れることにより、内容物を充填した際に底側が舟形に開放するように構成して自立性を付与した袋（スタンディングパウチ）において、その開口部にスパウトを取り付けた袋に関するものである。
【０００２】
【従来の技術】
従来のスパウト付き自立袋の形態を図６（Ａ）に示す。この図６（Ａ）において、１は袋本体であって、この袋本体１は、前面２と後面３および上部に図６（Ｂ）に示すような楕円形状のスパウトシール部４ａを形成したスパウト４を取り付け、底部５に逆Ｖ字状の折り込み６を入れることにより、スパウト４部分から内容物を充填したときに底部６が舟形に開き自立性が付与されるものである。この図６（Ａ）中の７、７ａは袋本体１のサイドシール、８はスパウトシールである。
【０００３】
【発明が解決しようとする課題】
しかし、従来の上記自立袋にあっては、スパウト４の楕円形状のスパウトシール部４ａにおいて、その長手方向は袋開口部の長手方向に対して平行方向に向けてシールされている為、袋本体１のスパウト４部分の下方は偏平に近い形状となり、内容物を注出する際、袋の正面２又は裏面３に支える部分が無いことから、内容物の重量によりスパウト４部分が下に折れ曲り、内容物が注出しにくいという欠点がある。
本発明は斯る点に鑑みて提供されるものであって、その目的は、内容物を注出するときに、スパウト４部分が下に折れ曲って内容物が注出しにくくなると云う欠点を解消したスパウト付き自立袋を提供することである。
【０００４】
【課題を解決するための手段】
上記目的を達成するため、請求項１に記載の発明においては、スパウト付き自立袋において、底部に逆Ｖ字型状の折り込みを入れることにより、内容物を充填した際に底側が舟型に開放するように構成して自立性を付与した袋において、直交する方向において長さの異なるスパウトシール部を持つスパウトを、袋の開口部の長手方向に対して前記スパウトシール部の長手方向が大きい側が直角方向となるように装着したことを特徴とするものである。
【０００５】
更に、請求項２に記載の発明においては、請求項１に記載の発明において、スパウトシール部は、スパウト本体の注出口側からみて舟形又は菱形又は十文字形を呈していることを特徴とするものである。
【０００６】
更に、請求項３に記載の発明においては、請求項１又は２に記載の発明において、スパウトを装着シールした袋本体において、装着シールの両側に、ハの字状のコーナーシールを行ったことを特徴とするものである。
【０００７】
更に、請求項４に記載の発明においては、請求項３に記載の発明において、ハの字状のコーナーシールの外側を切除してなることを特徴とするものである。
【０００８】
【実施例１】
本実施例１は請求項１、２に記載した発明に対応するもので、図１（Ａ）に完成した袋を示し、（Ｂ）にこの袋に装着されたスパウトを示す。本実施例１の袋は、袋本体１０の底部１５に逆Ｖ字状の折り込み１６を入れ、両サイドにサイドシール１７、１７ａを形成し、袋本体１０の開口部１０ａの部分に菱形形状のスパウトシール部１８を形成したスパウト１４を、菱形形状の長手方向が開口部１０ａの長手方向に対して直角方向となるように挿入してヒートシール１１を行うことにより装着した構成である。
【０００９】
このように、菱形形状のスパウトシール部１８を袋本体１０の開口部１０ａに対して長手方向が開口部１０ａの長手方向に対して直角方向を向いていると、袋本体１０の開口部１０ａから、前面１２及び裏面１３にかけて、そして袋本体１０の中央にかけて大きく膨らんだ膨出部１９が形成される。
この結果、この膨出部１９が補強体となって、スパウト１４から内容物を注出するとき、袋本体１０が下方に折れ曲るのを防止し、内容物の通り道を確保してスムーズに注出することができる。また、スパウト１４が位置する袋内は、このスパウトシール部により前後方向に大きく拡げられているため、内容物の流出に大きく貢献できる。
【００１０】
【実施例２】
本実施例２は請求項１、２、３に記載の発明に対応するもので、スパウト１４の両側において、上縁シール１７ｂからサイドシール１７、１７ａにかけて、ハ字状のコーナーシール２０、２０ａを設けることにより、袋本体１０の上部において、このスパウト１４に接近したコーナーシール２０、２０ａの作用で補強を行い、併せて、袋本体１０の上部に隅が出来ないことにより、内容物が袋の隅に残らず、然もコーナーシール２０、２０ａの作用により、内容物をスムーズに流出させる効果を奏することができる。
【００１１】
【実施例３】
本実施例３は、請求項４に記載の発明に対応するもので、図３に示すように、実施例２で形成したハ字状のコーナーシール２０、２０ａの外側の耳部２１、２１ａをカットすることにより、耳部２１、２１ａが邪魔になるのを防ぎ、デサイン性を高めたものである。
【００１２】
【実施例４】
本実施例４は、請求項２に記載の発明に対応するもので、図４に示すように、スパウト１４のスパウトシール部１８を楕円形状となし、この楕円の長手方向を袋本体１０の開口部１０ａの長手方向に対して直角方向となるようにヒートシール１１することにより、袋本体１０の正面１２と裏面１３に膨らみ１９を形成し、袋の胴部分が扁平になることを防止したものである。なお、ヒートシール１１されたスパウト１４の両サイドの部分に、ハの字状のコーナーシール２０、２０ａを施したり、三角形の耳部２１、２１ａを実施例３のようにカットして良い。
【００１３】
【実施例５】
本実施例５は、請求項２に記載の発明に対応するもので、図５に示すように、スパウト１４のスパウトシール部１８を十字形に形成し、この十字形の長手方向を袋本体１０の開口部１０ａの長手方向に対して直角方向となるようにヒートシール１１することにより、袋本体１０の正面１２と裏面１３に膨らみ１９を形成し、袋の胴部分が扁平になることを防止したものである。なお、ヒートシール１１されたスパウト１４の両サイドの部分に、ハ字状のコーナーシール２０、２０ａを施したり、三角形の耳部２１、２１ａを実施例３のようにカットしても良い。
【００１４】
【発明の効果】
本発明は以上のように、スパウトシール部の長手方向と口シール部の長手方向とが直角方向で交わるように袋本体の開口部にスパウトをヒートシールしたことにより、袋はその口側の表面と裏面に膨大部が形成され、従来のように扁平化しないことから、強度が増し、内容物の注出時にスパウト部分が下方に折れ曲って注出がスムーズに出来なくなったりすると云うことがなくなる。
【図面の簡単な説明】
【図１】（Ａ）は菱形のスパウトシール部分の長手方向を開口部の長手方向に対して直角となるようにシールしたスパウト付き自立袋、（Ｂ）はスパウトの説明図。
【図２】スパウトの両サイドにハ字状のコーナーシールを施した自立袋の説明図。
【図３】ハ字状のコーナーシール部分の外側の耳部をカットした自立袋の説明図。
【図４】楕円形のスパウトシール部分の長手方向を開口部の長手方向に対して直角になるようにシールしたスパウト付き自立袋。
【図５】十字形のスパウトシール部分の長手方向を開口部の長手方向に対して直角になるようにシールしたスパウト付き自立袋。
【図６】（Ａ）は従来の技術で作られたスパウト付き自立袋の説明図、（Ｂ）はスパウトの説明図。
【符号の説明】
１０  袋本体
１０ａ  開口部
１１  ヒートシール
１２  自立袋本体表面
１３  自立袋本体裏面
１４  スパウト
１５  底シール
１６  舟形状の折り込み
１７、１７ａ  サイドシール
１８  スパウトシール部
１９  膨大部
２０、２０ａ  コーナーシール
２１、２１ａ  耳部
【図１】
2004256126.tif 000003
【図２】
2004256126.tif 000004
【図３】
2004256126.tif 000005
【図４】
2004256126.tif 000006
【図５】
2004256126.tif 000007
【図６】
2004256126.tif 000008